(57)【要約】 【課題】本発明は、十分なグリースを使用したとしても、グリース漏れを確実に阻止出来るため、ボールネジ機構の摩擦トルクの増大や、発熱とモータへの過大な負荷が発生することがないボールネジ用シール部材を提供することを目的とする。【解決手段】ボールネジのネジ軸の周面を密封するボールネジ用シール部材において、前記ネジ軸のネジ山部に沿って環状に形成された環状部と、前記環状部の両端部を前記ネジ軸のネジ溝部を横断する形で相互に連結している連結部とより構成される本体部と、前記連結部の内周側に設けられ、前記ネジ溝部と密封接触しているシール部とより構成されていることを特徴とする。【選択図】  図１
2011179673.tif 000002
【特許請求の範囲】
【請求項１】
ボールネジのネジ軸（１）の周面を密封するボールネジ用シール部材（２）において、前記ネジ軸（１）のネジ山部（１１）に沿って環状に形成された環状部（２１）と、前記環状部（２１）の両端部（２１２）、（２１２）を前記ネジ軸（１）のネジ溝部（１２）を横断する形で相互に連結している連結部（２２）とより構成される本体部（２０）と、前記連結部（２２）の内周側に設けられ、前記ネジ溝部（１２）と密封接触しているシール部（２３）とより構成されていることを特徴とするボールネジ用シール部材。
【請求項２】
前記シール部（２３）は、前記ネジ溝部（１２）の円弧状面（１２１）に沿って伸びる円弧状のリップ部（２３１）を備えていることを特徴とする請求項１記載のボールネジ用シール部材。
【請求項３】
前記リップ部（２３１）は、グリースが封入されている側であって、前記円弧状面（１２１）に向かって傾斜して伸びていることを特徴とする請求項２記載のボールネジ用シール部材。
【請求項４】
前記環状部（２１）は、その内周面において、前記ネジ山部（１１）と密封接触しているダストリップ（２１１）を備えていることを特徴とする請求項１〜３いずれか一項記載のボールネジ用シール部材。
【請求項５】
前記ダストリップ（２１１）は、グリースが封入されている側に向かって傾斜する形で伸びていることを特徴とする請求項４記載のボールネジ用シール部材。
【請求項６】
前記連結部（２２）及び前記シール部（２３）は、前記ネジ軸（１）の軸線（ｘ）に対し、傾斜した形で設けられていることを特徴とする請求項１〜５いずれか一項記載のボールネジ用シール部材。
【請求項７】
前記連結部（２２）及び前記シール部（２３）の傾斜角度（α）は、前記ネジ溝部（１２）の傾斜角度（β）と略等しいことを特徴とする請求項６記載のボールネジ用シール部材。
【請求項８】
前記ボールネジ用シール部材（２）全体が、ポリウレタン材で形成されていることを特徴とする請求項１〜７いずれか一項記載のボールネジ用シール部材。
【発明の詳細な説明】
【技術分野】
【０００１】
本発明は、ボールネジの外周面を密封するボールネジ用シール部材に関する。
例えば半導体や液晶製造設備のボールネジ用として使用されるボールネジ用シール部材に関するものである。
【背景技術】
【０００２】
回転運動を直線運動に変換する機構として、ボールネジ機構が知られている。
ボールネジ機構は、雄ネジを備えたネジ軸の外周に、雌ネジを備えたナット（雌ネジ部材）を螺合させ、ネジ軸を回転させることにより、ナットを軸線方向へと移動させるものである。
【０００３】
そして、ナットにおける内孔において、その軸線方向のネジ軸挿入口には、ボールネジ用シール部材が配置され、外部からナット内への塵芥等の異物の侵入を防止している。
シール部材は、リテーナによりナット側に取り付けられている。
具体的には、図６に示す様に、板状で環状のボールネジ用シール部材２００が、ボールネジのネジ軸１のネジ溝部１２及びネジ山１１を横断する形で使用されている。
【０００４】
しかしながら、かかるボールネジ用シール部材２００は、ネジ軸１の外周に螺旋状のネジ溝部１２が形成されているので、ナットとネジ軸１との間を密封することには、以下に述べるような問題がある。
【０００５】
例えば、完全な円筒軸をシールにより密封する場合には、円筒軸に当接する薄板状のシール部材の開口形状を円形とすることにより、円筒軸とシール部材との当接状態は全周において一様となり、密封は比較的容易に達成される。
しかしながら、ネジ軸１には、外周に螺旋状のネジ溝部１２が形成されているので、軸線に直角な面でネジ軸を切断すると、その切断面は円形とならない。
従って、単純な円形開口を有するシール部材でかかるネジ軸１を密封することは困難である。
【０００６】
そこで通常、図６に例示される様な、シール部材２００の開口形状をねじ軸の断面形状に対応した非円形としたシール部材２００を用いて、ネジ軸１を密封するようにしている。（特許文献１）
しかしながら、従来技術によるシール部材２００は、平板状の環状部材からなっているので、ねじ軸の外形状に適合するように撓みにくいと言う問題がある。
より具体的には、シール部材２００は、図上において、最上部ではネジ溝部１２の溝底に当接し、最下部ではネジ山１１の最大外径部に当接するようになっており、当接する部位によって、密封接触圧力が不安定になる為、良好な密封機能を十分確保することは困難であった。
【０００７】
この為、十分なグリースシールが達成できない為、例えば半導体や液晶製造設備のボールネジにおいては、グリースの蒸発量を抑える為に、十分なグリースを使用する事が困難であった。
この結果、ボールネジ機構の摩擦トルクが増大し、発熱やモータへの過大な負荷が発生する問題を招来した。
更に、ボールネジ機構の耐摩耗性の低下を招いたり、在庫中における錆の発生を惹起した。
【先行技術文献】
【特許文献】
【０００８】
【特許文献１】特開２００２−７０９７９号公報
【特許文献２】特開平１０−２８１２５４号公報
【発明の概要】
【発明が解決しようとする課題】
【０００９】
本発明は上記したような事情に鑑みてなされたものであり、十分なグリースを使用したとしても、グリース漏れを確実に阻止出来るため、ボールネジ機構の摩擦トルクの増大や、発熱とモータへの過大な負荷が発生することがないボールネジ用シール部材を提供することを目的とする。
【課題を解決するための手段】
【００１０】
上記目的を達成するために本発明に係るボールネジ用シール部材にあっては、ボールネジのネジ軸の周面を密封するボールネジ用シール部材において、前記ネジ軸のネジ山部に沿って環状に形成された環状部と、前記環状部の両端部を前記ネジ軸のネジ溝部を横断する形で相互に連結している連結部とより構成される本体部と、前記連結部の内周側に設けられ、前記ネジ溝部と密封接触しているシール部とより構成されていることを特徴とする。
【発明の効果】
【００１１】
本発明は、以下に記載される効果を奏する。
請求項１記載の発明のボールネジ用シール部材によれば、十分なグリースを使用したとしても、グリース漏れを確実に阻止出来るため、ボールネジ機構の摩擦トルクの増大や、発熱とモータへの過大な負荷が発生することがない。
請求項２記載の発明のボールネジ用シール部材によれば、ネジ溝部からのグリース漏れを確実に阻止出来る。
【００１２】
請求項３記載の発明のボールネジ用シール部材によれば、ネジ溝部からのグリース漏れをより確実に阻止出来る。
請求項４記載の発明のボールネジ用シール部材によれば、ネジ山を越えて流出するグリース漏れを確実に阻止出来る。
【００１３】
請求項５記載の発明のボールネジ用シール部材によれば、ネジ山を越えて流出するグリース漏れをより確実に阻止出来る。
請求項６記載の発明のボールネジ用シール部材によれば、ボールネジのネジ軸の摺動抵抗を低下させることが出来る。
【００１４】
請求項７記載の発明のボールネジ用シール部材によれば、シール部がネジ溝部と均一に接触できる為、密封性能が良好である。
請求項８記載の発明のボールネジ用シール部材によれば、成形が容易であると共に、耐摩耗性が良好である。
【図面の簡単な説明】
【００１５】
【図１】本発明に係るボールネジ用シール部材を示す斜視図。
【図２】図１のＡ−Ａ断面図。
【図３】本発明に係るボールネジ用シール部材の平面図。
【図４】図３のＢ−Ｂ断面図。
【図５】本発明に係るボールネジ用シール部材をボールネジに装着した状態を示す断面図。
【図６】従来技術に係るボールネジ用シール部材を、図５と同様に示した図。
【発明を実施するための形態】
【００１６】
以下、本発明を実施するための形態について説明する。
図１乃至図５を参照しながら、本発明を実施するための最良の形態について説明する。
【００１７】
本発明に係るボールネジ用シール部材は、ボールネジのネジ軸１の周面を密封するボールネジ用シール部材２であって、ネジ軸１のネジ山部１１に沿って環状に形成された環状部２１と、この環状部２１の両端部２１２、２１２をネジ軸１のネジ溝部１２を横断する形で相互に連結している連結部２２とより構成される本体部２０と、この連結部２２の内周側に設けられ、ネジ溝部１２と密封接触しているシール部２３とより構成されている。
【００１８】
そして、このシール部２３は、図５に示す様に、ネジ溝部１２の円弧状面１２１に沿って伸びる円弧状のリップ部２３１を備えている。
更に、このリップ部２３１は、図２に示す様に、グリースが封入されている側（図上右側）であって、前記円弧状面（１２１）に向かって傾斜して伸びている。
このことにより、リップ部２３１によりグリースを確実に掻きとれる為、ネジ溝部１２からのグリース漏れをより確実に阻止出来る。
【００１９】
また、環状部２１は、その内周面において、ネジ山部１１と密封接触しているダストリップ２１１を備えている。
そして、このダストリップ２１１は、図５に示す様に、グリースが封入されている側（図上左側）に向かって傾斜する形で伸びている
このことにより、ネジ山１１を越えて流出するグリース漏れをより確実に阻止出来る。
【００２０】
更に、図４に示す様に、連結部２２及びシール部２３は、ネジ軸１の軸線Ｘに対し、傾斜した形で設けられており、この傾斜角度αは、図５に示す、ネジ溝部１２の傾斜角度βと略等しい傾斜角度となっている。
この為、連結部２２及びシール部２３は、ネジ溝部１２に対し直交する形で対峙出来る為、ボールネジのネジ軸１の摺動抵抗を低下させることが出来ると共に、シール部２３がネジ溝部１２と均一に接触できる為、密封性能が良好である。
【００２１】
ボールネジ用シール部材２の材質としては、各種の弾性材製ゴム材、弾性材製樹脂材が適用可能であるが、ポリウレタン材によりボールネジ用シール部材２全体を一体成形する事が好ましい。
【００２２】
この種ボールネジ用シール部材２が適用されるボールネジ機構は、雄ネジを備えたネジ軸１の外周に、図示しない雌ネジを備えたナット（雌ネジ部材）を螺合させ、ネジ軸１を回転させることにより、ナットを軸線方向へと移動させるものである。
【００２３】
そして、ナットにおける内孔において、その軸線方向のねじ軸挿入口には、ボールネジ用シール部材２が配置され、外部からナット内への塵芥等の異物の侵入を防止している。
このシール部材２は、図示しないリテーナによりナット側に取り付けられて使用される。
【産業上の利用可能性】
【００２４】
半導体や液晶製造設備のボールネジ用として使用される。
【符号の説明】
【００２５】
１    ボールネジのネジ軸
２    ボールネジ用シール部材
１１  ネジ山
１２  ネジ溝部
２０  本体部
２１  環状部
２２  連結部
２３  シール部
２１１ダストリップ
２１２端部
２３１リップ部
【図１】
2011179673.tif 000003
【図２】
2011179673.tif 000004
【図３】
2011179673.tif 000005
【図４】
2011179673.tif 000006
【図５】
2011179673.tif 000007
【図６】
2011179673.tif 000008